(57)【要約】【課題】面光源を光源とした照明装置において、光密度を高くする。【解決手段】照明装置１０は、面光源１００、配光フィルタ１２０(配光部)、及び反射面２１０を有している。面光源１００は光射出面１０２から光を放射する。配光フィルタ１２０は、面光源１００から放射された光を第１方向（図１においては、ｘ軸方向の右側）に向けて傾ける。反射部材２００は反射面２１０を有している。反射面２１０は、面光源１００の光射出面１０２に対向しており、上記した第１方向に進むにつれて面光源１００から離れる方向に傾いている。【選択図】図１
2016021285.tif 000002
【特許請求の範囲】
【請求項１】
光射出面から光を放射する面光源と、
前記面光源からの光を第１方向に傾ける配光部と、
前記光射出面に対向し、前記配光部が傾けた前記光を反射する反射面を有する反射部材と、
を備え、
前記反射面は、当該反射面の第１方向側が前記面光源から離れるように傾いている照明装置。
【請求項２】
請求項１に記載の照明装置において、
前記面光源を含む平面に前記反射面を投影した場合、前記反射面の前記第１方向側の端部は、前記面光源と重ならない領域まで延在している照明装置。
【請求項３】
請求項２に記載の照明装置において、
前記配光部から出射した光が前記面光源の垂線に対してなす角度を第１角度とした場合、
前記面光源に対して前記反射面が成す角度は、（４５°−前記第１角度／２）±５°である照明装置。
【請求項４】
請求項３に記載の照明装置において、
前記平面に前記反射面を投影した場合、前記配光部及び前記反射面は前記光射出面の全面を覆っている照明装置。
【請求項５】
請求項４に記載の照明装置において、
前記面光源のうち前記光射出面とは逆側の面に取り付けられ、前記面光源のうち前記第１方向とは逆側の端部から前記面光源の外部に延在している取付部材と、
を備え、
前記反射部材の端部は、前記取付部材のうち前記面光源の外部に延在している部分に固定されている照明装置。
【請求項６】
請求項５に記載の照明装置において、
前記反射部材は、前記取付部材と一体に形成されている照明装置。
【請求項７】
請求項６に記載の照明装置において、
複数の前記面光源が互いに平行に配置されており、
前記複数の面光源のそれぞれに対して、前記反射面及び前記配光部が配置されている照明装置。
【発明の詳細な説明】
【技術分野】
【０００１】
本発明は、照明装置に関する。
【背景技術】
【０００２】
近年は、有機ＥＬ素子を利用した照明装置が用いられている。有機ＥＬ素子において、２つの電極の間には発光層を含む有機層が配置されている。特許文献１には、ＥＬ発光体を有する照明装置において、ＥＬ発光体の上に集光部材又は配光部材を配置することにより、ＥＬ発光体からの光を所望する方向に配向することが記載されている。
【先行技術文献】
【特許文献】
【０００３】
【特許文献１】特開２００９−２５２５６９号公報
【発明の概要】
【発明が解決しようとする課題】
【０００４】
有機EL素子のメリットの一つである全方位への光の放射は、照明装置の用途によってはデメリットとなる。例えば、照らしたい場所が限られている照明装置においては、その場所での光密度が十分に高くならない場合が出てくる。
【０００５】
本発明が解決しようとする課題としては、照明装置において、照らしたい位置の光密度を高くすることが一例として挙げられる。
【課題を解決するための手段】
【０００６】
請求項１に記載の発明は、光射出面から光を放射する面光源と、
前記面光源からの光を第１方向に傾ける配光部と、
前記光射出面に対向し、前記配光部が傾けた前記光を反射する反射面を有する反射部材と、
を備え、
前記反射面は、当該反射面の第１方向側が前記面光源から離れるように傾いている照明装置である。
【図面の簡単な説明】
【０００７】
【図１】実施形態に係る照明装置の構成を示す図である。
【図２】実施例１に係る照明装置の構成を示す図である。
【図３】実施例２に係る照明装置の構成を示す図である。
【図４】図３の変形例を示す図である。
【図５】実施例３に係る照明装置の構成を示す図である。
【図６】実施例４に係る電気スタンドの構成を示す図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る照明装置１０の構成を示す図である。照明装置１０は、面光源１００、配光フィルタ１２０(配光部)、及び反射部材２００を有している。面光源１００は光射出面１０２から光を放射する。配光フィルタ１２０は、面光源１００から放射された光を第１方向（図１においては、ｘ軸方向の右側）に傾ける。ここで第１方向は、光が照明装置１０から放射される方向である。反射部材２００は反射面２１０を有している。反射面２１０は、面光源１００の光射出面１０２に対向しており、配光フィルタ１２０が傾けた光を反射する。反射面２１０は、第１方向側が前記面光源から離れるように傾いている。例えば、反射面２１０は、上記した第１方向に進むにつれて面光源１００から離れる方向に傾いている。以下、詳細に説明する。
【００１０】
面光源１００は、例えば基板の上に有機ＥＬ素子を形成し、さらに有機ＥＬ素子を封止部材で封止した構成を有している。面光源１００が有する有機ＥＬ素子は、一つであってもよいし複数であってもよい。後者の場合、これらの有機ＥＬ素子は、電気的に互いに並列に接続されていてもよいし、電気的に互いに独立していてもよい。
【００１１】
基板は、例えばガラス基板や樹脂基板などの透明基板であり、例えば矩形などの多角形である。基板は可撓性を有していてもよいし、有していなくてもよい。
【００１２】
有機ＥＬ素子は、基板上に第１電極、有機層、及び第２電極をこの順に重ねた構成を有している。
【００１３】
第１電極は、光透過性を有する透明電極である。有機ＥＬ素子が発光した光は、第１電極及び基板を介して外部に出射する。透明電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子を含んでいる。
【００１４】
有機層は、発光層を含む複数の層を積層させた構成を有している。有機層を構成する少なくとも一つの層（例えば正孔注入層）は、塗布材料を用いて形成されていてもよい。有機層は、全ての層が塗布材料を用いて形成されていてもよい。
【００１５】
第２電極は、Ａｌ、Ａｕ、Ａｇ、Ｐｔ、Ｓｎ、Ｚｎ、及びＩｎからなる第１群の中から選択される金属、又はこの第１群から選択される金属の合金からなる金属層を含んでいる。
【００１６】
このような構成において、面光源１００の光射出面１０２は、基板のうち有機ＥＬ素子が形成された面とは逆側の面になる。ただし、第１電極を金属層で形成し、第２電極を透明電極とした場合、面光源１００の光射出面１０２は、基板のうち有機ＥＬ素子が形成された面になる。
【００１７】
面光源１００の光射出面１０２には、集光フィルタ１１０、及び配光フィルタ１２０がこの順に配置されている。集光フィルタ１１０は、光射出面１０２から放射される光を集光し、その出射方向を揃える。集光フィルタ１１０を通った後の光の出射方向は、例えば光射出面１０２に垂直な方向である。配光フィルタ１２０は、集光フィルタ１１０を透過してきた光の進行方向を所定の方向に曲げる。集光フィルタ１１０は、例えばレンズとして機能する領域を複数有している。また配光フィルタ１２０は、プリズムとして機能する領域を複数有している。
【００１８】
反射部材２００のうち面光源１００に対向する面は反射面２１０になっている。反射面２１０は、例えば銀などの金属を反射部材２００の基材に蒸着することにより、形成される。反射部材２００の基材は、例えば有機材料又は無機材料を用いて形成されている。また、この基材の形状は、例えば板状であるが、他の形状を有していてもよい。ただし、反射面２１０はほぼ平面であるのが好ましい。
【００１９】
反射面２１０は、配光フィルタ１２０によって曲げられた光を反射する。反射面２１０によって反射された光は、照明装置１０の外部に出射する。反射面２１０は、配光フィルタ１２０からの光を、面光源１００の光射出面１０２にほぼ平行な方向に向けて反射するのが好ましい。このようにするためには、面光源１００の垂線に対する配光フィルタ１２０からの光の出射角度をθ１、光射出面１０２に対する反射面２１０の角度をθ２とした場合、θ２＝（４５°−θ１／２）±５°とするのが好ましい。
【００２０】
ここで、反射部材２００の反射面２１０を、光射出面１０２を含む平面に投影した場合、反射面２１０のうち第１方向（図１における右側）の端部は、面光源１００と重ならない領域まで延在している。このようにすることで、光射出面１０２の第１方向の端部から出射した光も反射面２１０で反射され、照明装置１０の外部に取り出される。また、上記した投影像において、反射面２１０は光射出面１０２の全面を覆っている。このようにすることで、光射出面１０２から放射された光の大部分を反射面２１０によって反射させ、照明装置１０の外部に取り出すことができる。ただし、配光フィルタ１２０によって光射出面１０２から放射された光は第１方向（図１の右側）に曲がる。このため、反射面２１０は、光射出面１０２のうち第１方向とは逆側の端部（図１の左側の端部）を覆っていなくてもよい。
【００２１】
以上、本実施形態によれば、面光源１００の光射出面１０２から放射された光は、配光フィルタ１２０によって曲げられたのち、反射面２１０によって反射される。そして、照明装置１０のうち光が放射される開口部の幅をＬ２、光射出面１０２の幅をＬ１としたとき、反射面２１０の傾斜角度θ２＜４５°にすることにより、幅Ｌ１の光を、これより狭い幅Ｌ２の光に集光することができる。従って、照明装置１０から放射される光の密度は高くなる。
【実施例】
【００２２】
（実施例１）
図２は、実施例１に係る照明装置１０の構成を示す図である。本実施例において、面光源１００及び反射部材２００は、取付部材３００に保持されている。
【００２３】
取付部材３００は、直方体の一面を取り外した形状、又は筒の端面の一つを取り外した形状を有している。そして面を取り外したことによって形成された開口が、光の射出口となっている。また、取付部材３００の内面のうち、光の射出口に対向する面に、面光源１００の端部及び反射部材２００の端部が固定されている。面光源１００及び反射部材２００の構成は、実施形態に示した通りである。
【００２４】
本実施例によっても、実施形態と同様に、照明装置１０から放射される光密度は高くなる。
【００２５】
（実施例２）
図３は、実施例２に係る照明装置１０の構成を示す図である。本実施例において、反射部材２００は、取付部材３１０を用いて面光源１００に対する相対位置が固定されている。詳細には、取付部材３１０は板状の部材であり、面光源１００のうち光射出面１０２とは逆側の面に固定されている。取付部材３１０のうち第１方向とは逆側の端部（図３においては左側の端部）は、面光源１００の外部に延在している。そして反射部材２００は、取付部材３１０のうち面光源１００の外部に延在している部分に固定されている。
【００２６】
本実施例によっても、実施形態と同様に、照明装置１０から放射される光の輝度は高くなる。また、実施例１に対して、照明装置１０を小さくすることができる。
【００２７】
なお、図４に示すように、反射部材２００と取付部材３１０を一体に形成してもよい。例えば取付部材３１０及び反射部材２００は、金属製の板を折り曲げたりプレス加工することにより形成されてもよい。このようにすると、取付部材３１０及び反射部材２００の製造コストを低くすることができる。
【００２８】
（実施例３）
図５は、実施例３に係る照明装置１０の構成を示す図である。本実施例において、複数の面光源１００は互いに平行に配置されており、これら複数の面光源１００のそれぞれに対して配光フィルタ１２０及び反射部材２００が配置されている。
【００２９】
具体的には、板状の保持部材３２０に、取付部材３１０及び反射部材２００が複数組互いに並んで固定されている。そして、複数の取付部材３１０のそれぞれに、面光源１００が固定されている。複数の面光源１００の光射出面１０２には、いずれも集光フィルタ１１０及び配光フィルタ１２０がこの順に取り付けられている。面光源１００からの光の射出口は、いずれも同じ方向を向いている。また、反射部材２００は、その隣の取付部材３１０に近接している。
【００３０】
なお、本図に示す例において、面光源１００及び反射部材２００は、図４に示した構成を有している。ただし、面光源１００及び反射部材２００は、図２に示した構成又は図３に示した構成を有していてもよい。
【００３１】
本実施例においても、実施形態と同様に、照明装置１０から放射される光密度は高くなる。また、複数の面光源１００及び反射部材２００が並んでいるため、照明装置１０による照明範囲は広くなる。
【００３２】
（実施例４）
図６は、実施例４に係る電気スタンド２０の構成を示す図である。電気スタンド２０は、アーム２４を用いて照明装置１０を台座２２に取り付けた構成を有している。照明装置１０は、例えば図５と同様の構成を有しており、取付部材３１０がアーム２４によって保持されている。
【００３３】
本実施例においても、照明装置１０から放射される光の密度は高くなる。また、複数の面光源１００及び反射部材２００が並んでいるため、照明装置１０の照明範囲は広くなる。
【００３４】
以上、図面を参照して実施形態及び実施例について述べたが、これらは本発明の例示であり、上記以外の様々な構成を採用することもできる。
【符号の説明】
【００３５】
１０ 照明装置
１００ 面光源
１０２ 光射出面
１２０ 配光フィルタ
２００ 反射部材
２１０ 反射面
３００ 取付部材
３１０ 取付部材
３２０ 保持部材
【図１】
2016021285.tif 000003
【図２】
2016021285.tif 000004
【図３】
2016021285.tif 000005
【図４】
2016021285.tif 000006
【図５】
2016021285.tif 000007
【図６】
2016021285.tif 000008